(57)【要約】【課題】枠の縦枠を取り付ける固定ねじを特別な部材で隠蔽しなくとも良いと共に、縦枠を簡単に取り付けできるようにした建具とする。【解決手段】枠２の縦枠２２を躯体５の開口部６に取り付ける固定ねじ８を、縦枠２２と扉３の室内側面３ａとの間の気密を保持する戸当り材９で隠蔽して特別な部材を不要とし、固定ねじ８を螺合することで縦枠２２を簡単に取り付けできるようにする。【選択図】図３
2014101623.tif 000002
【特許請求の範囲】
【請求項１】
枠に扉を開閉自在に取り付けた建具であって、
前記枠の縦枠は、室外側の扉囲み部と室内側の戸当り材取付部との間に躯体取付部を有し、
前記扉囲み部の扉対向面及び戸当り材取付部は躯体取付部よりも面内方向の内側に位置し、扉囲み部と躯体取付部と戸当り材取付部とで面内方向の内側に開口した凹陥部を形成し、
前記凹陥部内で、前記躯体取付部を固定ねじで躯体の開口部の縦内面に固着して取り付け、
前記戸当り材取付部に戸当り材を取り付け、その戸当り材により前記凹陥部を閉塞することで前記固定ねじを隠蔽したことを特徴とする建具。
【請求項２】
前記縦枠の戸当り材取付部と閉じ位置の扉の室内側面との間の見込み寸法は、人の手指を差し入れできる大きさで、
前記戸当り材は、扉が閉じ位置の状態から当該戸当り材と扉の室内側面との間に人の手指が差し入れできるスペースが生じる撓み変形量だけ撓み変形するようにした請求項１記載の建具。
【請求項３】
前記戸当り材は、取付部と、この取付部に設けた中空の本体部と、この本体部に設けられた内側ヒレ片、外側ヒレ片を備え、
前記内側ヒレ片は扉が開き位置のときには扉囲み部まで突出し、扉が閉じ位置のときには鉤形状に折曲して扉の室内側面に接触し、
前記外側ヒレ片は縦枠の扉囲み部に接して凹陥部を閉塞している請求項２記載の建具。
【請求項４】
前記縦枠の扉囲み部はホロー部を有し、そのホロー部の扉対向面にヒンジの一側羽根を固着して取り付け、
前記ヒンジの他側羽根を扉に固着して取り付けることで、扉はヒンジを中心として開閉方向に回動自在とした請求項１〜３いずれか１項記載の建具。
【請求項５】
躯体の開口部に残存した既設建具の既設枠内に枠を挿入し、
前記枠の縦枠を、前記既設枠の既設縦枠を貫通して躯体に螺合した固定ねじにより既設縦枠を介して開口部の縦内面に取り付けるように請求項１〜４いずれか１項記載の建具。
【発明の詳細な説明】
【技術分野】
【０００１】
本発明は、枠に扉を開閉自在に取り付けた建具、特に、枠の縦枠の建物躯体への取り付けに関する。
【背景技術】
【０００２】
建具としては、上枠と下枠と左右の縦枠で方形状の枠と、この枠にヒンジで開閉自在に取り付けた扉を有した建具が知られている。
この建具は、その枠を建物の開口部に挿入し、上枠、下枠、縦枠から固定ねじを建物の躯体に螺合して固着することで枠を開口部に取り付けるのが一般的である（特許文献１参照）。
【先行技術文献】
【特許文献】
【０００３】
【特許文献１】実開昭５８−２９７７７号公報
【発明の概要】
【発明が解決しようとする課題】
【０００４】
前述のように、枠を固定ねじで建物の躯体に固着した建具は、その枠の縦枠を建物の躯体に固着する固定ねじが目立つので、縦枠に蓋材を取り付けて固定ねじが見えないように隠蔽している。
このために、縦枠を蓋材の取付部を備えた形状としなければならず縦枠が複雑形状で、コスト高となると共に、蓋材を必要とするから高価となる。
しかも、縦枠を固定ねじで建物の躯体に固着して取り付けた後に、蓋材を取り付けて固定ねじを隠蔽しているので、その縦枠（枠）の取り付けが面倒である。
【０００５】
本発明の目的は、縦枠を取り付ける固定ねじを隠蔽する特別な部材が不要で安価であると共に、縦枠を簡単に取り付けできるようにした建具とすることである。
【課題を解決するための手段】
【０００６】
本発明は、枠に扉を開閉自在に取り付けた建具であって、
前記枠の縦枠は、室外側の扉囲み部と室内側の戸当り材取付部との間に躯体取付部を有し、
前記扉囲み部の扉対向面及び戸当り材取付部は躯体取付部よりも面内方向の内側に位置し、扉囲み部と躯体取付部と戸当り材取付部とで面内方向の内側に開口した凹陥部を形成し、
前記凹陥部内で、前記躯体取付部を固定ねじで躯体の開口部の縦内面に固着して取り付け、
前記戸当り材取付部に戸当り材を取り付け、その戸当り材により前記凹陥部を閉塞することで前記固定ねじを隠蔽したことを特徴とする建具である。
【０００７】
本発明の建具は、前記縦枠の戸当り材取付部と閉じ位置の扉の室内側面との間の見込み寸法は、人の手指を差し入れできる大きさで、
前記戸当り材は、扉が閉じ位置の状態から当該戸当り材と扉の室内側面との間に人の手指が差し入れできるスペースが生じる撓み変形量だけ撓み変形するようにできる。
このようにすれば、扉を閉じる際に扉の室内側面と戸当り材との間に人の手指が誤って挟まれると戸当り材が撓み変形するから、人の手指を傷つけることがない。
【０００８】
本発明の建具は、前記戸当り材は、取付部と、この取付部に設けた中空の本体部と、この本体部に設けられた内側ヒレ片、外側ヒレ片を備え、
前記内側ヒレ片は扉が開き位置のときには扉囲み部まで突出し、扉が閉じ位置のときには鉤形状に折曲して扉の室内側面に接触し、
前記外側ヒレ片は縦枠の扉囲み部に接して凹陥部を閉塞するようにできる。
このようにすれば、扉が閉じ位置のときには内側ヒレ片が折曲して本体部が撓み変形せずに、扉の室内側面と戸当り材との間に人の手指が挟まれたときに本体部が撓み変形するようにできるから、戸当り材が小さな力で大きく撓み変形する。
【０００９】
本発明においては、前記縦枠の扉囲み部はホロー部を有し、そのホロー部の扉対向面にヒンジの一側羽根を固着して取り付け、
前記ヒンジの他側羽根を扉に固着して取り付けることで、扉はヒンジを中心として開閉方向に回動自在とすることができる。
このようにすれば、ヒンジを縦枠に強固に取り付けできる。
しかも、縦枠の強度はホロー部で強く、躯体取付部は板状として固定ねじを容易に貫通して躯体に螺合できる。
【００１０】
本発明においては、躯体の開口部に残存した既設建具の既設枠内に枠を挿入し、
前記枠の縦枠を、前記既設枠の既設縦枠を貫通して躯体に螺合した固定ねじにより既設縦枠を介して開口部の縦内面に取り付けるようにできる。
このようにすることで、既設建具を新しい建具にリニューアルすることができる。
【発明の効果】
【００１１】
本発明によれば、縦枠を取り付ける固定ねじが戸当り材で隠蔽されるから、その固定ねじを隠蔽する特別な部材が不要で、安価であると共に、縦枠を簡単に取り付けできる。
しかも、凹陥部が戸当り材で閉塞されるので、躯体取付部の固定ねじによる固着部から雨水が躯体側に浸入することを防止できる。
【図面の簡単な説明】
【００１２】
【図１】本発明の実施の形態を示す建具の縦断面図である。
【図２】本発明の実施の形態を示す建具の横断面図である。
【図３】縦枠取付部の拡大横断面図である。
【図４】枠を既設枠に取り付ける状態を示す斜視図である。
【図５】縦枠の取付状態を説明する横断面図である。
【図６】縦枠の取付状態を説明する横断面図である。
【図７】縦枠を取り付けた状態の横断面図である。
【発明を実施するための形態】
【００１３】
図１と図２に示すように、建具１は枠２に扉３をヒンジ４で閉じ位置と開き位置とに渡って開閉自在に取り付けてある。
枠２は上枠２０と下枠２１と左右の縦枠２２で方形状である。
扉３は上框３０と下框３１と左右の縦框３２を方形状に連結し、その内部にパネル３３が装着してある。図１、図２ではパネル３３は網戸を有した上げ下げ窓としてある。
建物の躯体５の開口部６には既設建具の既設枠７が残存し、この既設枠７内に枠２を挿入して躯体５に取り付けることで建具１を取り付ける。
つまり、図１、図２に示す建具１は既設建具を新設建具にリフォーム（改装）したリフォーム建具である。
【００１４】
既設枠７は、開口部６の上内面６ａに取り付けた既設上枠７０と、開口部６の下内面６ｂに取り付けた既設下枠７１と、開口部６の左右の縦内面６ｃに取り付けた既設縦枠７２を有している。
【００１５】
縦枠２２は図３に示すように、閉じ位置の扉３を囲む扉囲み部２２ａと、この扉囲み部２２ａの室内側部と連続し面外方向の室内側に向かう躯体取付部２２ｂと、この躯体取付部２２ｂの室内側部と連続し面内方向の内側に向かう戸当り材取付部２２ｃと、扉囲み部２２ａと躯体取付部２２ｂと戸当り材取付部２２ｃとで形成した面内方向の内側に開口した凹陥部２２ｄを備えている。
つまり、扉囲み部２２ａの扉３（縦框３２）と対向した扉対向面（後述する内側板２５）及び戸当り材取付部２２ｃ（後述する凹条溝２２ｃ−１）は躯体取付部２２ｂよりも面内方向の内側に位置して前述の凹陥部２２ｄを形成している。
そして、躯体取付部２２ｂに穴２２ｂ−１を凹陥部２２ｄに開口して形成し、凹陥部２２ｄ内から固定ねじ８を、その穴２２ｂ−１を通して既設縦枠７２を貫通して躯体５に螺合し、その固定ねじ８の頭部８ａを穴２２ｂ−１の周縁、つまり座面に止水材８ｂを介して押しつけることで、縦枠２２を既設縦枠７２を介して開口部６の縦内面６ｃに取り付けている。
【００１６】
この躯体取付部２２ｂを取り付けた固定ねじ８は閉じ位置の扉３の室内側面３ａよりも室内側に位置し、戸当り材取付部２２ｃよりも室外側に位置している。
つまり、固定ねじ８（穴２２ｂ−１）は閉じ位置の扉３の室内側面３ａと戸当り材取付部２２ｃとの間、つまり凹陥部２２ｄ内に位置している。
閉じ位置の扉３の室内側面３ａは戸当り材取付部２２ｃよりも室外側に位置し、その両者間には固定ねじ８が挿通するスペースがある。
これにより、扉３を閉じ位置として固定ねじ８を締め付け、弛め操作できる。
【００１７】
戸当り材取付部２２ｃに戸当り材９が室外側に向けて設けてある。
この戸当り材９は、取付部９０と、取付部９０に設けた中空の本体部９１と、本体部９１の面内方向内側に室外側に向けて設けた内側ヒレ片９２と、本体部９１の面内方向外側に室外側に向けて設けた外側ヒレ片９３を有している。
そして、取付部９０を戸当り材取付部２２ｃの凹条部２２ｃ−１に嵌合して取り付け、本体部９１、内側ヒレ片９２、外側ヒレ片９３が固定ねじ８の頭部８ａよりも室外側で、かつ面内方向の内側に位置し、外側ヒレ片９３が扉囲み部２２ａに接して凹陥部２２ｄを閉塞することで、固定ねじ８の頭部８ａが面内方向の内側から見えないように隠蔽している。
【００１８】
このように、戸当り材９で固定ねじ８を隠蔽しているので、その固定ねじ８を隠蔽するための特別の部材が不要であるから、部品点数が余分に多くならずに安価である。
しかも、縦枠２２に固定ねじ８を隠蔽するための部材を取り付ける必要がなく、固定ねじ８を躯体５に螺合することで縦枠２２を取り付けできるので、縦枠２２を簡単に取り付けできる。
【００１９】
さらに、戸当り材９の外側ヒレ片９３は凹陥部２２ｄを閉塞するために縦枠２２の扉囲み部２２ａの室内側部分に接しているから扉囲み部２２ａと戸当り材取付部２２ｃとの間を水密している。
これにより、扉３と扉囲み部２２ａとの間に浸入した雨水が固定ねじ８に達することがなく、その固定ねじ８が挿通する穴２２ｂ−１から躯体５側に雨水が浸入することを防止できる。
【００２０】
戸当り材９の内側ヒレ片９２は、扉３を閉じ位置から開き位置に向けて回動してドアを開放したときに扉囲み部２２ｂまで突出する。
扉３が閉じ位置のときには、扉３の室内側面３ａに押されて鉤形状に折曲して室内側面３ａに強く接触するので、確実に水密、気密できる。このとき、本体部９１は殆ど撓み変形することがない。
【００２１】
閉じ位置の扉３の室内側面３ａと戸当り材取付部２２ｃ（凹条溝２２ｃ−１）との間の見込み寸法Ｈは、人の手指を差し入れできる大きさである。
戸当り材９は、扉３が閉じ位置のときの状態から室内側に向かう外力が負荷することで撓み変形可能で、その撓み変形量は、その撓み変形した戸当り材９と閉じ位置の扉３の室内側面３ａとの間に人の手指を差し入れできるスペースが生じるようにしてある。
【００２２】
このようであるから、開き位置の扉３を閉じ位置に向けて回動し閉じ位置としてドアを閉じる際に、誤って人の手指が扉３の室内側面３ａと戸当り材９との間に挟まれると、戸当り材９が撓み変形することで人の手指を保護することができるので、人の手指を傷つけたりすることを防止できる。
【００２３】
図３に示す戸当り材９は、扉３が閉じ位置のときに内側ヒレ片９２が変形し、本体部９１は殆ど撓み変形することがなく、前述のように人の手指が挟まれたときに本体部９１が撓み変形するので、小さな外力が負荷することで大きな撓み変形量が得られる。
【００２４】
縦枠２２の具体形状を説明する。
扉囲み部２２ａは、面内方向に向かう室外側板２３と、その室外側板２３の面内方向の両端と連続して面外方向の室内側に向かう外側板２４、内側板２５と、その外側板２４、内側板２５の室内側端を連続する面内方向に向かう室内側板２６でホロー部を有する形状で、その内側板２５が扉３と対向する扉対向面であると共に、ヒンジ取付部分で、室内側板２６が扉対向面と躯体取付部２２ｂを連続する扉囲み部２２ａの室内側面である。
そして、内側板２５にヒンジ４の一側羽根４０が裏板４１を介してねじで固着してある。ヒンジ４の他側羽根４２は扉３の縦框３２にねじで固着してある。つまり、ヒンジ４は蝶番としてある。
戸当り材９の外側ヒレ片９３は室内側板２６に接している。
【００２５】
躯体取付部２２ｂは、扉囲み部２２ａの外側板２４の室内側端と連続した板状（ソリット形状）である。
戸当り材取付部２２ｃは、躯体取付部２２ｂの室内側端と連続して面内方向の内側に向けて設けた内向き板２７を有し、その内向き板２７に凹条溝２２ｃ−１が形成してある。
【００２６】
図１に示すように、上枠２０と下枠２１に上横の戸当り材９ａ、下横の戸当り材９ｂがそれぞれ装着してある。
この上下横の戸当り材９ａ，９ｂは縦枠２２に装着した戸当り材９と同一断面形状で、内側ヒレ片９２が扉３の室内側面３ａ（上框３０、下框３１の室内側面）に接すると共に、外側ヒレ片９３が上枠２０、下枠２１の扉囲み部に接している。
そして、各戸当り材９，９ａ，９ｂが四周連続している。
【００２７】
次に、建具の取り付けを説明する。
図４に示すように、既設建具の既設枠７を残存し、新設建具の枠２を矢印で示すように既設枠７内に室外側から挿入し、枠２を既設枠７に当接して面外方向の位置決めをする。
例えば、図５に示すように縦枠２２の戸当り材取付部２２ｃを既設縦枠７２の戸当り材取付部７２ａに当接する。
【００２８】
既設枠７の内周寸法よりも枠２の外周寸法を小さくして枠２を既設枠７に挿入し易くしているから、既設枠７の内周面と枠２の外周面との間に隙間があるので、その隙間にスペーサを挿入してガタつきをなくする。
例えば、図５に示すように縦枠２２の外周側面（外側板２４）と既設縦枠７２の内周側面７２ｂとの間にスペーサ７３を室外側から挿入する。
【００２９】
枠２を既設枠７に固定ねじで固着する。
例えば、図６に示すように固定ねじ８を、縦枠２２の躯体取付部２２ｂの穴２２ｂ−１からスペーサ７３、既設縦枠７２を貫通して躯体５に螺合して固着することで、縦枠２２をスペーサ７３、既設縦枠７２を介して躯体５の開口部６の縦内面６ｃに固着して取り付ける。
縦枠２２はスペーサ７３に接する外向片２８を複数有している。
【００３０】
前述のように固定ねじ８を螺合する際に、戸当り材９が邪魔となるのであれば、戸当り材９を図６に示すように、その本体部９１を面内方向の内側に向けて折曲することで、扉囲み部２２ａ（室内側板２６）と戸当り材９との間から固定ねじ８を躯体取付部２２ｂの穴２２ｂ−１に挿入し易くする。
【００３１】
枠２の外周面と既設枠７の内周面との間を気密、水密すると共に、枠２の外周面と外装材５ａとの間を気密、水密し、枠２の室外側面にカバープレート７４を固着し、カバープレート７４と外装材５ａとの間を気密、水密する。
例えば、図７に示すように、縦枠２２の外周面（外側板２４）と既設縦枠７２の内周面との間をシール材７５で気密、水密し、縦枠２２の室外側面（室外側板２３）にカバープレート７４をビス７６で固着して取り付け、外装材５ａとカバープレート７４との間をシール材７７で気密、水密する。
そして、枠２に扉３を取り付ける。
【００３２】
ヒンジ４は蝶番としたが、ピボットヒンジとしても良い。
その場合には、扉３の縦框３２の上部と上枠２０とに渡って上のピポットヒンジを設け、縦框３２の下部と下枠２１とに渡って下のピボットヒンジを設ける。
【００３３】
前述の実施の形態はリフォーム建具であるが、枠２を開口部６内に挿入し、枠２を開口部６の内面に固定ねじで固着して取り付ける通常の建具とすることも可能である。この場合には枠２を上枠２０と左右の縦枠２２と開口部６の下内面とで形成することも可能である。
【符号の説明】
【００３４】
１…建具、２…枠、３…扉、４…ヒンジ、５…躯体、６…開口部、７…既設枠、８…固定ねじ、９…戸当り材、２２…縦枠、２２ａ…扉囲み部、２２ｂ…躯体取付部、２２ｃ…戸当り材取付部、２２ｄ…凹陥部、４０…一側羽根、４２…他側羽根、７２…既設縦枠、９０…取付部、９１…本体部、９２…内側ヒレ片、９３…外側ヒレ片。
【図１】
2014101623.tif 000003
【図２】
2014101623.tif 000004
【図３】
2014101623.tif 000005
【図４】
2014101623.tif 000006
【図５】
2014101623.tif 000007
【図６】
2014101623.tif 000008
【図７】
2014101623.tif 000009